(57)【要約】【課題】  本考案は、装着性、携行性およびデザイン性に優れたレジンアクセサリーを提供することにある。【解決手段】  本考案によれば、立体的構図をあしらった和紙にレジン加工処理を施したレジンアクセサリーが提供される。前記立体的構図が切り紙、切り紙絵及び折り紙の１種または２種以上から選択されたいずれかの素材で構成されたもの、あるいは色紙、デザインを施した色紙、もみ紙及び千代紙の１種または２種以上から選択されたいずれかをさらに組み合わせることでオリジナリティあふれる和心を演出でき、制作品も和紙という特性から、とても軽く装着性と携行性に優れたレジンアクセサリーが提供されるものである。【選択図】  図１
0003209367.tif 000002
【実用新案登録請求の範囲】
【請求項１】
立体的構図をあしらった和紙にレジン加工処理を施したレジンアクセサリー。
【請求項２】
前記立体的構図が切り紙、切り紙絵及び折り紙の１種または２種以上から選択されたいずれかの素材で構成された立体的構図である請求項１に記載のレジンアクセサリー。
【請求項３】
和紙が色紙、デザインを施した色紙、もみ紙及び千代紙の１種または２種以上から選択されたいずれかである請求項１乃至請求項２に記載のレジンアクセサリー。
【考案の詳細な説明】
【技術分野】
【０００１】
本考案は、和紙を利用した装着性、携行性およびデザイン性に優れたレジンアクセサリーに関するものである。
さらに詳細には、立体的構図をあしらった和紙にレジン加工処理を施した軽量のレジンアクセサリーであって、当該立体的構図が切り紙、切り紙絵及び折り紙の１種または２種以上から選択されたいずれかで構成された素材からなるまったく新しいタイプのレジンアクセサリーに関するものである。
【背景技術】
【０００２】
ファッション性、身だしなみを演出するのに欠かせないものの一つがアクセサリーであり、携行品としてのアイテムも豊富である。古くから、高級感や質感が重視され、ジュエリーや宝石を使用したアクセサリーが一定のステイタスを得ている一方、近年、カジュアル性を重視したものも多く開発されている。
【０００３】
また、オリジナル性や個人の創意と感興性を演出した作品を装着したいというニーズも高まり、工業生産的な市販品ではなく、いわゆるハンドメイド的な制作にも関心が高まっている（例えば、特許文献１乃至２）。
【０００４】
特許文献１には、手芸教室や手作り講習会等で、自然の花を採取して押し花にしたものを、アクリル変性透明板に常温硬化する透明性のある合成樹脂液で埋封して、身近なブローチなどの作品を手作るための方法が開示され、特許文献２には、その別法として、使用する押し花と透明な合成樹脂液を複数の透明枠の中に埋封してブローチなどの製品を手作る方法が開示されている。
【０００５】
特許文献３には、特殊な皮膜処理や加熱溶融を必要とせず、特別の材料を配合したりするなどの工程も必須要件としない宝飾品の提供が開示されているところ、当該宝飾品の宝飾素材として、歯科における治療に使用されている光硬化性の合成樹脂材料あるいは宝飾用合成樹脂の使用が適していることが開示されている。これら合成樹脂としては、特に紫外線硬化型または常温硬化型のレジンの使用が開示されている。
【０００６】
前記レジンを使用したアクセサリーは一般にはレジンアクセサリーと称されるところ、近年特に注目を集めているため、レジンそのものの素材改良も種々検討されている。例えば、特許文献４には、塗膜の硬化不良等の問題を生じず、短時間で塗膜を形成することができるとともに、塗膜を硬化させる際に塗膜自体に凹凸を発生させて装飾効果を発揮させることのできる光硬化性塗料が開示されている。
【０００７】
特許文献５には、前記特許文献１乃至２の改良を施した技術が開示されている。
すなわち、特許文献１及び２におけるレジンに押し花を封入したアクセサリーは、いずれも花の形を崩さず、丸ごと封入している物であり、自然な花の魅力を表現するには適しているが、デザインやテイストが偏っており、デザインのバラエティーが乏しい欠点があったのに対し、特許文献５は、透明板の上にＵＶレジン液を塗り重ねる事により、押し花の花弁や葉、ビーズやネイルパーツといった装飾部品を封入するバリエーションに富むアクセサリーを実現した考案である。
【０００８】
確かに、特許文献５に係る考案は、押し花（花弁・葉）における色合いや葉脈など、植物の特徴を際立たせる為にＵＶレジン液の透明度を最大限に活かしている点、身に着ける上でのストレスになり得る重さを軽減させた点及び“押し花”というジャンルに囚われることなく幅広いデザイン性を有するアクセサリーを提供できた点において、一定程度の成果をおさめた。
【０００９】
しかしながら、素材として既存のものや天然の植物を組合せたものであり、素材自体に依存するため、オリジナリティの演出には限界があり、創作性に悖る点があった。また、素材の経時的劣化に伴う変色やひび割れ等が発生することがあり、制作物の価値を下げる問題もあった。さらに、外観上の立体感や意匠性及び装着時の重量（軽量化）にもまだ改良の余地が残されていた。
【先行技術文献】
【特許文献】
【００１０】
【特許文献１】特開平７−３０４６０２号公報
【特許文献２】特開平８−１３２８００号公報
【特許文献３】実願２００３−３４９９号公報
【特許文献４】特開２０１６−１４１６８５号公報
【特許文献５】実願２０１５―４６８９号公報
【考案の概要】
【考案が解決しようとする課題】
【００１１】
本考案は、上記の問題点に鑑みて提案されたものであって、装着性、携行性およびデザイン性に優れたレジンアクセサリーを提供することにある。
【課題を解決するための手段】
【００１２】
上記課題解決のため、種々検討した結果、立体的構図をあしらった和紙を素材として採択し、当該和紙に所定のレジン加工処理を施すことによって、問題点を解決し、所望の効果を発揮できる本考案を完成するに至った。
【００１３】
すなわち、本考案によれば、立体的構図をあしらった和紙にレジン加工処理を施したレジンアクセサリーが提供される。
また、本考案によれば、前記立体的構図が切り紙、切り紙絵及び折り紙の１種または２種以上から選択されたいずれかの素材で構成された立体的構図からなるレジンアクセサリーが提供されるものである。
さらに、和紙素材としては色紙、デザインを施した色紙、もみ紙及び千代紙の１種または２種以上から選択されたいずれかをさらに組み合わせることでオリジナリティあふれる和心を演出できるレジンアクセサリーが提供される。
【考案の効果】
【００１４】
和紙の持つ軽量性という特質がある故、装着性と携行性に優れた機能が発揮できる。また、和紙独特の高級感とデザイン性によって、多彩なテイストを醸し出す立体的な創作性が発揮できることから、制作物のデザインバリエーションも飛躍的に増大させることが可能となった。
【図面の簡単な説明】
【００１５】
【図１】本考案のレジンアクセサリーの基本素材として切紙を使用した場合の立体的構図の態様を示す参考図である。
【図２】本考案のレジンアクセサリーの一例としてピアスの実施態様を示す概要図である。
【図３】本考案のレジンアクセサリーを名刺のカバーに応用した事例を示す概要図である。
【考案を実施するための形態】
【００１６】
本考案は、  立体的構図をあしらった和紙にレジン加工処理を施したレジンアクセサリーである。本考案によれば、先ず制作をするアイテムにあわせて和紙の材質を選択する。和紙は、麻、楮、みつまた、雁皮、まゆみ及び苦参のいずれかを原料として製造されたものが好適に使用できるが、厚さや強度は目的に応じて適宜選択する。
【００１７】
立体的構図は、自由に着想した形状を採用しうるが、好適には、切り紙、切り紙絵及び折り紙の１種または２種以上から選択されたいずれかの素材で構成されたものがあげられる。
【００１８】
和紙の素材特性をより引き立たせ立体的構図に重厚感を保持させるために、色紙、デザインを施した色紙、もみ紙及び千代紙の１種または２種以上から選択されたいずれかを採用して加工処理に供するのが好ましい。
【００１９】
前記の前準備をした後、採用した紙素材に薄くレジンで加工処理を施す。使用するレジンは、特に制限はないが、処理工程との兼ね合いから、即時硬化型ではなく、感光性樹脂組成物（以下、ＵＶレジンと呼ぶ）が好ましい。
【００２０】
本考案のレジン加工の基本工程としては、先ず、立体的構図を決めた後の紙素材に所望の形状を維持しつつ薄くＵＶレジンを塗布し、約３分間放置する。次に、ＵＶランプで上下左右の方向から万遍なく約５分照射し、レジンで固め、透明光沢の塗膜を形成する。さらにＵＶレジンを塗り重ね、ＵＶランプによる照射を繰り返し、厚みを持たせ、立体感を演出する。ＵＶレジン塗布とＵＶ照射の繰り返しは、立体的構図と選択した紙素材の種類に応じて適宜変更する。塗り重ねを終えた後は、少なくとも３０分間放置し、適宜コート剤を上塗りし、光の屈折率の調整によって、重厚感を演出する。
【００２１】
このようにして仕上げた製品は立体感のある重厚で高級感の醸し出されるレジンアクセサリーとして仕上がるものである。また、樹脂と紙で構成されることから、軽量であり、装着性が良く、携行性にも優れている。
【００２２】
本考案の対象であるレジンアクセサリーとしては、代表的にはピアス、ネックレス、イヤリング、ヘアピン、ブローチ、リボン、衣服用バッジおよびネイルアート用のパーツ等が挙げられ、ワッペン、キーホルダー、時計、名刺入れや携帯電話用のケースの表面デザインとしても応用し得るものである。
【実施例】
【００２３】
以下、添付図面に従い、実施例により本考案をさらに具体的に説明するが、本考案の範囲は当該実施例に限定されるものではない。
【００２４】
図面１は、本考案のレジンアクセサリーの基本素材として切紙を使用した場合の立体的構図の態様を示す参考図である。「１」は切り紙の輪郭を示し、当該輪郭は木の葉をイメージしたものであるが、和紙の種類は色ものでも良いし、もみ紙と組合せてもあらたなイメージを演出できる。「２」は、谷折りにする部分で、折の角度やひねり具合で全く異なる立体的構図を構成できる。小孔や切り目を任意に設けることで、さらなるオリジナリチィの演出が可能である。これらの素材に本考案によりＵＶレジンを重ね塗りしながら、本考案所定の加工処理を施し、裏側にはピンを装着すると携行性に優れたブローチを制作することができる。表面にはレジン細工を重ねてさらに立体的装飾を施すこともできる。軽量であるので、カジュアルなＴシャツに装着してもブローチの自重で垂れず、フィット感も良好であり、お洒落なコーディネートが可能である。
【００２５】
図２は、本考案のレジンアクセサリーの一例としてピアスの実施態様を示す概要図である。四葉をイメージして細工したそれぞれの「３」の中央部に設けた「４」のライン部は谷折り部分であり、４つの葉の角度を調整しつつ、本考案の加工処理を施すことで、「５」のピアスを制作することができる。「６」の部分もレジン仕様で構成しているので、金属アレルギーの方にも安心して使用できる。また、ブローチと同様に、軽量なため、装着部のストレス感がまったくなく携行性も良好である。
【００２６】
図３は、本考案のレジンアクセサリーを名刺のカバーに応用した事例を示す概要図である。機能性を有するツールに装飾を施したい場合に、本考案の加工処理によって制作したレジンアクセサリー「７」を組み合せることで、「８」のようにオリジナル性の高いグッズを演出することができる。カバーリングしたとしても、本考案のレジン細工の軽量性から携行性を損なうことなく使用ができ、視覚的にも美しいデザイン性に優れている。
【符号の説明】
【００２７】
１    切り紙の輪郭部分
２    切り紙の谷折り部分
３    レジンアクセサリー（ピアス）の正面図における四葉の輪郭
４    レジンアクセサリー（ピアス）の四葉部分の谷折りライン
５    レジンアクセサリー（ピアス）側面部の概略図
６    レジンアクセサリー（ピアス）装着部アタッチメント
７    本考案により制作した基本素材の一例
８    名刺カバーとして応用装飾した態様を示す正面図
９    名刺カバーとして応用装飾した態様を示す左側面部の概略
【図１】
0003209367.tif 000003
【図２】
0003209367.tif 000004
【図３】
0003209367.tif 000005